(57)【要約】【課題】収納する操作ボタンが１つまたは２つの場合でもスイッチケースを共用化することができ、更に、表示面に対して背面側から透過照明する際に周囲に光が漏れることを防止することができるプッシュ式スイッチ装置を提供する。【解決手段】スイッチケース５の収納部４の内周面の複数箇所に、直線状のガイド凹部を形成するとともに、２つの操作ボタン２、３の外周面に各ガイド凹部の位置に合わせて複数のガイド凸部を形成し、各ガイド凹部に各ガイド凸部が移動自在に嵌合されるようにして、側面同士を接触させた２つの操作ボタン２、３を収納部４に収納し、更に、収納部４内の背面側に、ＬＥＤ１１、１２から発せられる光が操作ボタン２、３の外に漏れないように遮光する遮光用リブ１５、１６を設けた。【選択図】図２
2007149611.tif 000002
【特許請求の範囲】
【請求項１】
スイッチケースに設けた１つの収納部に、前面側に表示面を有する１つまたは２つの操作ボタンが操作方向に沿って移動自在に収納され、前記収納部の背面側に設けた光源から発せられる光により、前記操作ボタン内を通して前記表示面を背面側から透過照明自在なプッシュ式スイッチ装置において、
前記収納部の内周面の複数箇所に、前記操作ボタンの操作方向に沿って直線状のガイド凹部を形成するとともに、前記操作ボタンの外周面に前記各ガイド凹部の位置に合わせて複数のガイド凸部を形成し、前記各ガイド凹部に前記各ガイド凸部が移動自在に嵌合されるようにして、１つの操作ボタンまたは側面同士を接触させた２つの操作ボタンを前記収納部に収納し、
更に、前記収納部内の背面側に、前記光源から発せられた光が前記操作ボタンの外に漏れないように遮光するリブを設けた、
ことを特徴とするプッシュ式スイッチ装置。
【発明の詳細な説明】
【技術分野】
【０００１】
本発明は、例えば車両のオーディオ操作用スイッチ等に用いられるプッシュ式スイッチ装置に係り、特に照明機能を備えたプッシュ式スイッチ装置に関する。
【背景技術】
【０００２】
車両（自動車）のオーディオ操作用スイッチ等に用いられるプッシュ式スイッチ装置は、操作方向に沿って形成した複数のガイド凸部を外周面に有する操作ボタンと、前記ガイド凸部に応じた複数のガイド凹部（ガイド溝部）を内周面に有するスイッチケースを備え、前記ガイド凸部を前記ガイド凹部に移動可能に嵌合するようにして、操作ボタンがスイッチケース内に設置されている（例えば、特許文献１参照）。
【０００３】
ところで、前記特許文献１のようなプッシュ式スイッチ装置では、ガイド凸部をガイド凹部に移動可能に嵌合して、１つの操作ボタンをスイッチケース内に収納しているが、例えば、図６、図７に示すように、１つのスイッチケース１００に独立した２つの操作ボタン１０１、１０２を収納する従来のプッシュ式スイッチ装置では、スイッチケース１００内の中央部に設けた仕切り壁１００ａによって２つの収納部１０３、１０４を形成し、各収納部１０３、１０４の周面にそれぞれ形成した上下左右の各ガイド凹部１０３ａ，１０３ｂ，１０３ｃ，１０３ｄ、および各ガイド凹部１０４ａ，１０４ｂ，１０４ｃ，１０４ｄに、操作ボタン１０１、１０２の周面にそれぞれ形成したガイド凸部１０１ａ、１０２ａを移動自在に嵌合して、スイッチケース１００の各収納部１０３、１０４に操作ボタン１０１、１０２を収容するようにしている。
【０００４】
スイッチケース１００の各収納部１０３、１０４の背面外側には、図７に示すように、内部が空洞の操作ボタン１０１、１０２内を通して前面側に一体に形成した操作ノブ１０５、１０６の表示面１０５ａ、１０６ａを背面側から透過照明するＬＥＤ１０７、１０８を備えた照明部１０９、１１０が設置されている。
【０００５】
また、スイッチケース１００内の中央部に仕切り壁１００ａを設けているので、各操作ボタン１０１、１０２の仕切り壁１００ａと摺接する側とこの仕切り壁１００ａとが干渉しないように、各操作ボタン１０１、１０２の内側の側面に切り欠き部１０１ｃ、１０２ｃを形成しているので、各操作ボタン１０１、１０２の切り欠き部１０１ｃ、１０２ｃの前方側（スイッチケース１００から外に露出する部分）は、ほぼ隙間なく接するように肉厚を厚くしている。
【０００６】
なお、スイッチケース１００の各収納部１０３、１０４内には、操作ボタン１０１、１０２を前方側に付勢する付勢部材（不図示）、操作ボタン１０１，１０２を各収納部１０３、１０４から抜け出さないように保持する保持部材（不図示）、操作ボタン１０１、１０２の押圧／押圧解除に対応してＯＮ／ＯＦＦされるスイッチ素子（不図示）が設けられている。
【特許文献１】特開２００１−１３５１８６号公報
【発明の開示】
【発明が解決しようとする課題】
【０００７】
ところで、図６、図７に示した従来のプッシュ式スイッチ装置では、前記したように各操作ボタン１０１、１０２の切り欠き部１０１ｃ、１０２ｃの前方側は、ほぼ隙間なく接するように肉厚を厚くしているので、その分だけ前面側の表示面１０５ａ、１０６ａに対する照明範囲が狭くなる。
【０００８】
また、照明部１０９、１１０のＬＥＤ１０７，１０８の発光により内部が空洞の操作ボタン１０１、１０２内を通して背面側から表示面１０５ａ、１０６ａを透過照明する際に、各部材の製造時の寸法誤差等によりスイッチケース１００の各収納部１０３、１０４と操作ボタン１０１、１０２との間に生じた隙間から周囲に光が漏れる恐れがあった。
【０００９】
さらに、例えば図８に示すように、スイッチケース１１１（図６に示したスイッチケース１００と同じ大きさで同じ外観形状）の収納部１１２に１つの操作ボタン１１３を収納する従来のプッシュ式スイッチ装置では、スイッチケース１１１内の仕切り壁が不要となる。なお、操作ボタン１１３には、収納部１１２に形成したガイド凹部１１２ａ，１１２ｂ，１１２ｃ，１１２ｄに移動自在に嵌合されるガイド凸部１１３ａ、１１３ｂ（操作ボタン１１３の下面と一方の側面のガイド凸部は不図示）が形成されており、操作ボタン１１３の前面には表示面１１４ａを有する操作ノブ１１４が一体に形成されている。
【００１０】
このように、収納部１１２に１つの操作ボタン１１３を収納する従来のプッシュ式スイッチ装置では、２つの操作ボタンを収納するスイッチケースと外観形状が同じで大きさも同じ場合でもスイッチケースを兼用することができず、別々のスイッチケースを樹脂成形により形成する必要があるのでコストが高くなる。
【００１１】
そこで、本発明は、表示面に対して背面側から照明する際の照明範囲を広く確保することができるプッシュ式スイッチ装置を提供することを目的とする。また、本発明は、表示面に対して背面側から照明する際に周囲に光が漏れることを防止することができるプッシュ式スイッチ装置を提供することを目的とする。さらに、本発明は、収納する操作ボタンが１つまたは２つの場合でもスイッチケースを兼用することができるプッシュ式スイッチ装置を提供することを目的とする。
【課題を解決するための手段】
【００１２】
前記目的を達成するために本発明は、スイッチケースに設けた１つの収納部に、前面側に表示面を有する１つまたは２つの操作ボタンが操作方向に沿って移動自在に収納され、前記収納部の背面側に設けた光源からの光により、前記操作ボタン内を通して前記表示面を背面側から透過照明自在なプッシュ式スイッチ装置において、前記収納部の内周面の複数箇所に、前記操作ボタンの操作方向に沿って直線状のガイド凹部を形成するとともに、前記操作ボタンの外周面に前記各ガイド凹部の位置に合わせて複数のガイド凸部を形成し、前記各ガイド凹部に前記各ガイド凸部が移動自在に嵌合されるようにして、１つの操作ボタンまたは側面同士を接触させた２つの操作ボタンを前記収納部に収納し、更に、前記収納部内の背面側に、前記光源から発せられた光が前記操作ボタンの外に漏れないように遮光するリブを設けたことを特徴としている。
【発明の効果】
【００１３】
本発明によれば、スイッチケースに設けた１つの収納部に、１つの操作ボタンまたは側面同士を接触させた２つの操作ボタンを収納することができるので、スイッチケースの共用化によりコストの低減を図ることができ、更に、表示面に対して背面側から照明する際の照明範囲を広く確保することができる。また、収納部内の背面側に、光源から発せられる光が操作ボタンの外に漏れないように遮光するリブを設けたことにより、操作ボタン内から周囲への光漏れを防止することができる。
【発明を実施するための最良の形態】
【００１４】
以下、本発明を図示の実施形態に基づいて説明する。
〈実施形態１〉
図１は、本発明の実施形態１に係るプッシュ式スイッチ装置を示す分解斜視図、図２は、本発明の実施形態１に係るプッシュ式スイッチ装置を示す概略断面図であり、本実施形態では、車両（自動車）のオーディオ操作用スイッチに適用したものである。
【００１５】
図１、図２に示すように、本実施形態に係るプッシュ式スイッチ装置（オーディオ操作用スイッチ）１は、矩形筒状の２つの操作ボタン２、３と、各操作ボタン２、３の背面側を一体的に収納する収納部４を有するスイッチケース５を備えており、このプッシュ式スイッチ装置１は、車室内のインストルメントパネルに取り付けたオーディオ操作パネル（不図示）に設けられている。各操作ボタン２、３およびスイッチケース５は、樹脂成形によって形成されている。なお、各操作ボタン２、３は、それぞれ別体で形成されている。
【００１６】
各操作ボタン２、３は、前面側（図１の左手前側）に表示面６ａ、７ａをそれぞれ設けた操作ノブ６、７を有し、各操作ノブ６、７の表示面６ａ、７ａに形成した文字（図では、‘ＲＡＤＩＯ’、‘ＤＩＳＣ・ＡＵＸ’）およびその周囲は、背面側からの照明によって光を透過可能である。
【００１７】
各操作ボタン２、３の背面側（図１の右奥側）の外周面（上下の両面と外側の側面）には、各操作ボタン２、３の操作方向（矢印Ａ方向）に沿って延びる直線状のガイド凸部８ａ、８ｂ、８ｃ（操作ボタン２の下面、操作ボタン３の側面および下面の各ガイド凸部は不図示）が一体に形成されている。各操作ボタン２、３の各操作ノブ６、７の後部には、各内側の側面を除いてフランジ部６ｂ、７ｂが一体に形成されている。また、図２に示すように、各操作ボタン２、３のフランジ部６ｂ、７ｂより背面側（図２の下側）に位置する各内側の側面は段部を有し、各操作ボタン２、３の操作方向（図２の上下方向）に沿って肉厚を薄くしている。
【００１８】
スイッチケース５内には、各操作ボタン２、３の背面側を収納する収納部４が形成されており、収納部４の内周面（上下の両面と両側の側面）には、収納される各操作ボタン２、３の各ガイド凸部８ａ、８ｂ、８ｃ（下面と左側の側面のガイド凸部は不図）の位置に合わせてスイッチケース５の前後方向（矢印Ａ方向）に沿って延びる直線状のガイド凹部１０ａ、１０ｂ、１０ｃ、１０ｄ、１０ｅ、１０ｆが一体に形成されている。なお、収納部４には仕切り壁はなく、一つの部屋として形成されている。
【００１９】
スイッチケース５の収納部４の背面外側には、各ＬＥＤ１１、１２を備えた照明部１３、１４が設置されている。なお、収納部４の背面側と各照明部１３、１４の間は、各ＬＥＤ１１、１２の発光によって内部が空洞の各操作ボタン２、３内を通して前面側の表示面６ａ、７ａを背面側からそれぞれ透過照明可能なように開口している。また、スイッチケース５内の奥側には矩形筒状の遮光用リブ１５、１６（図２参照）が一体に形成されており、各遮光用リブ１５、１６は、収納部４に収納される各操作ボタン２、３の背面側端部の内側に位置するように形成されている。
【００２０】
また、図３に示すように、スイッチケース５の収納部４の背面には、各操作ボタン２、３の押圧／押圧解除に対応してＯＮ／ＯＦＦされるスイッチ素子１７、１８がそれぞれ設置されている。各スイッチ素子１７、１８は、収納される各操作ボタン２、３の背面中央部よりも内側部分と当接するように、それぞれ内側に寄せて設置している。
【００２１】
なお、スイッチケース５の収納部４内には、各操作ボタン２、３を前方側に付勢する付勢部材（不図示）、各操作ボタン２、３を収納部４から抜け出さないようにして矢印Ａ方向に移動可能に保持する保持部材（不図示）が設けられている。
【００２２】
本実施形態に係るプッシュ式スイッチ装置１の各操作ボタン２、３とスイッチケース５は前記のように構成されている。そして、各操作ボタン２、３をスイッチケース５の収納部４に組み付けるときには、図１に示したように、各操作ボタン２、３を両側から押し付けるようにして、各操作ボタン２、３の側面同士を接触させた状態で保持し、各操作ボタン２、３の上下面の各ガイド凸部８ａ、８ｂ（図１では、下面のガイド凸部は不図示）を、スイッチケース５の前方側から収納部４の上下面の各ガイド凹部１０ａ、１０ｂ、１０ｃ、１０ｄに移動自在に嵌合させる。更に、各操作ボタン２、３の左右側面の各ガイド凸部８ｃ（図１では、操作ボタン３側のガイド凸部は不図示）を収納部４の左右側面の各ガイド凹部１０ｅ、１０ｆに移動自在に嵌合させて、その状態で挿入することにより、各操作ボタン２、３の背面側が収納部４に同時に一体的に収納される（図２参照）。この際、各操作ボタン２、３の表示面６ａ、７ａの各内側の側面同士は、摺動自在に接している。
【００２３】
各操作ボタン２、３の背面側が収納部４に収容されると、付勢部材（不図示）により各操作ボタン２、３が前方側に付勢されるとともに、収納部４内の保持部材（不図示）により各操作ボタン２、３が抜け出さないようにして移動可能に保持される。また、図２に示したように、各操作ボタン２、３の背面側が収納部４に収容されると、各操作ボタン２、３の背面側端部は、各遮光用リブ１５、１６とスイッチケース５の側面との間に配置された状態となる。また、夜間時などに各照明部１３、１４のＬＥＤ１１、１２への通電をＯＮすることにより、ＬＥＤ１１、１２が発光し、内部が空洞の各操作ボタン２、３内を通して前面側の表示面６ａ、７ａを背面側からそれぞれ透過照明する。
【００２４】
そして、例えば、操作ボタン３の表示面７ａを操作者（運転者）が押圧操作すると、操作ボタン３が少し収納部４内に移動（変位）して、操作ボタン３の背面側に設けた接点部（不図示）が、収納部４の背面側に設置されているスイッチ素子１８を押圧してＯＮ状態とし、この操作ボタン３に対応したオーディオ機器（不図示）がＯＮされる。
【００２５】
このように、前記した本実施形態に係るプッシュ式スイッチ装置１によれば、各スイッチ部材１７、１８が操作ボタン３の背面中央に対して少し内側に寄せて設置されているので、例えば操作ボタン３の背面側の接点部（不図示）がスイッチ素子１８を押圧したときに、操作者（運転者）が押圧操作している操作ボタン３の表示面７ａ側には、操作方向（図１の矢印Ａ方向）に対して少し内側寄りの力が作用する（操作ボタン２の表示面６ａを押圧操作した場合も同様である）。よって、操作ボタン３の表示面７ａを押圧操作したときにおいて、各操作ボタン２、３の表示面６ａ、７ａの各内側の側面同士の間に隙間が生じることなく、摺動自在に接した状態が保持される。
【００２６】
また、スイッチケース５の収納部４に仕切り壁を設けていないので、各操作ボタン２、３の各内側の側面は、仕切り壁の厚み程度だけ肉厚を薄くできる。よって、ＬＥＤ１１、１２の発光により、内部が空洞の各操作ボタン２、３内を通して前面側の表示面６ａ、７ａを背面側からそれぞれ透過照明する際に、表示面６ａ、７ａの角部までより効果的に透過照明することが可能となり、視認性の向上を図ることができる。
【００２７】
さらに、収納部４の背面側に遮光用リブ１５、１６を設けたことにより、ＬＥＤ１１、１２の発光によって各操作ボタン２、３内を通して前面側の表示面６ａ、７ａを背面側からそれぞれ透過照明する際に、各操作ボタン２、３内から周囲への光漏れを確実に防止することができる。
【００２８】
〈実施形態２〉
図４は、本発明の実施形態２に係るプッシュ式スイッチ装置を示す分解斜視図、図５は、本発明の実施形態２に係るプッシュ式スイッチ装置を示す概略断面図である。
【００２９】
実施形態１では、スイッチケース５の収納部４に２つの操作ボタン２、３を収納する構成であったが、本実施形態に係るプッシュ式スイッチ装置１ａでは、図４、図５に示すように、樹脂成形されたスイッチケース５の収納部４に樹脂成形された１つの操作ボタン１９（本実施形態では、ハザードランプをＯＮ／ＯＦＦするための操作ボタン）を収納する構成である。なお、本実施形態におけるスイッチケース５（収納部４）の大きさおよび形状は、図１に示した実施形態１のスイッチケース５（収納部４）と同様で、同じものである。
【００３０】
スイッチケース５の収納部４には、図１に示した実施形態１と同様の位置に、スイッチケース５の操作方向（矢印Ａ方向）に沿って延びる直線状のガイド凹部１０ａ、１０ｂ、１０ｃ、１０ｄ、１０ｅ、１０ｆが一体に形成されている。また、図５に示すように、スイッチケース５の収納部４の背面外側には、各ＬＥＤ１１、１２を備えた照明部１３、１４が設置されている。さらに、スイッチケース５内の奥側には矩形筒状の遮光用リブ１５、１６が一体に形成されており、各遮光用リブ１５、１６は、収納部４に収納される操作ボタン１９の背面側端部の内側に位置するように形成されている
【００３１】
操作ボタン１９は、前面側（図４の左手前側）に表示面２０ａを設けた操作ノブ２０を有し、表示面２０ａに形成した絵文字およびその周囲は、背面側からの照明によって光を透過可能である。
【００３２】
操作ボタン１９の背面側（図４の右奥側）の外周面（上下の両面と外側の側面）には、スイッチケース５の収納部４に形成した各ガイド凹部１０ｂ、１０ｄ、１０ｅ、１０ｆの位置に合わせて操作ボタン１９の操作方向（矢印Ａ方向）に沿って延びる直線状のガイド凸部１９ａ、１９ｂ（操作ボタン１９の下面および左側の側面の各ガイド凸部は不図示）が一体に形成されている。なお、スイッチケース５（収納部４）のガイド凹部１０ａ、１０ｃに対応する操作ボタン１９側の部分には、ガイド凸部は形成されていない。また、操作ノブ２２の後部周面には、フランジ部２０ｂが一体に形成されている。
【００３３】
なお、スイッチケース５の収納部４内には、各操作ボタン１９の押圧／押圧解除に対応してＯＮ／ＯＦＦされるスイッチ素子（不図示）、操作ボタン１９を前方側に付勢する付勢部材（不図示）、操作ボタン１９を収納部４から抜け出さないようにして矢印Ａ方向に移動可能に保持する保持部材（不図示）が設けられている。
【００３４】
そして、操作ボタン１９をスイッチケース５の収納部４に組み付けるときには、図５に示したように、操作ボタン１９の上下面の各ガイド凸部１９ａ（図５では、下面のガイド凸部は不図示）を、スイッチケース５の前方側から収納部４の上下面の各ガイド凹部凸部１０ｂ、１０ｄに移動自在に嵌合させる。更に、操作ボタン１９の左右側面の各ガイド凸部１９ｂ（図５では、左側面のガイド凸部は不図示）を収納部４の左右側面の各ガイド凹部１０ｅ、１０ｆに移動自在に嵌合させて、その状態で挿入することにより、操作ボタン１９の背面側が収納部４に収納される（図５参照）。
【００３５】
操作ボタン１９の背面側が収納部４に収容されると、付勢部材（不図示）により操作ボタン１９が前方側に付勢されるとともに、収納部４内の保持部材（不図示）により操作ボタン１９が抜け出さないようにして移動可能に保持される。また、図５に示したように、操作ボタン１９の背面側が収納部４に収容されると、操作ボタン１９の背面側端部は、各遮光用リブ１５、１６とスイッチケース５の側面との間に配置された状態となる。また、夜間時などに各照明部１３、１４のＬＥＤ１１、１２への通電をＯＮすることにより、ＬＥＤ１１、１２が発光し、内部が空洞の操作ボタン１９内を通して前面側の表示面２０ａを背面側からそれぞれ透過照明する。
【００３６】
そして、操作ボタン１９の表示面２０ａを操作者（運転者）が押圧操作すると、操作ボタン１９が少し収納部４内に移動（変位）して、操作ボタン１９の背面側に設けた接点部（不図示）が、収納部４の背面側に設置されているスイッチ素子（不図示）を押圧してＯＮ状態とし、この操作ボタン１９に対応したハザードランプ（不図示）がＯＮされる。
【００３７】
このように、前記した本実施形態に係るプッシュ式スイッチ装置１ａにおいても、収納部４の背面側に遮光用リブ１５、１６を設けたことにより、ＬＥＤ１１、１２の発光によって操作ボタン１９内を通して前面側の表示面２０ａを背面側からそれぞれ透過照明する際に、操作ボタン１９内から周囲への光漏れを確実に防止することができる。
【００３８】
さらに、前記実施形態１で用いた同じスイッチケース５に、本実施形態のように１つの操作ボタン１９を収納するとともに、前記実施形態１のように２つの操作ボタン２、３を収納することもできるので、スイッチケースの共用化によりコストの低減を図ることができる。
【００３９】
なお、本発明は前記各実施形態における車両のオーディオ操作用スイッチやハザードランプ用スイッチに限定されることなく、例えば、車両のエアコン操作用スイッチなどのプッシュ式スイッチ装置や各種機器に使用されるプッシュ式スイッチ装置においても同様に適用することができる。
【図面の簡単な説明】
【００４０】
【図１】本発明の実施形態１に係るプッシュ式スイッチ装置を示す分解斜視図。
【図２】本発明の実施形態１に係るプッシュ式スイッチ装置を示す概略断面図。
【図３】本発明の実施形態１に係るプッシュ式スイッチ装置のスイッチケースを示す正面図。
【図４】本発明の実施形態２に係るプッシュ式スイッチ装置を示す分解斜視図。
【図５】本発明の実施形態２に係るプッシュ式スイッチ装置を示す概略断面図。
【図６】従来例におけるプッシュ式スイッチ装置を示す分解斜視図。
【図７】従来例におけるプッシュ式スイッチ装置を示す概略断面図。
【図８】従来例におけるプッシュ式スイッチ装置を示す分解斜視図。
【符号の説明】
【００４１】
１、１ａ        プッシュ式スイッチ装置
２，３、１９    操作ボタン
４        収納部
５        スイッチケース
６、７、２０    操作ノブ
６ａ、７ａ、２０ａ    表示面
８ａ〜８ｃ、１９ａ、１９ｂ    ガイド凸部
１０ａ〜１０ｆ  ガイド凹部
１１、１２      ＬＥＤ
１５、１６      遮光用リブ
【図１】
2007149611.tif 000003
【図２】
2007149611.tif 000004
【図３】
2007149611.tif 000005
【図４】
2007149611.tif 000006
【図５】
2007149611.tif 000007
【図６】
2007149611.tif 000008
【図７】
2007149611.tif 000009
【図８】
2007149611.tif 000010